(57)【要約】      （修正有）【課題】履物の底に固定することで、誰でも使用可能なカスタネットを提供する。【解決手段】第１の打片３と第２の打片２４とを互いに打ち付けることにより音を生じるカスタネット２１であって、第１の打片３及び第２の打片２４は盤状に構成され、各々の主面の一方の一端において弾性状の結合部材によって互いに連結されて、カスタネット２１に力が加えられていない状態において、主面の他端側が開口状態となり、第１の打片３の他方の主面に球面部が形成され、第２の打片２４においては、他方の主面に平面部が形成され、かつ、当該主面を介して履物の底に装着可能な固定具２５を備える。【選択図】図１０
0003198180.tif 000002
【実用新案登録請求の範囲】
【請求項１】
第１の打片と第２の打片とを互いに打ち付けることにより音を生じるカスタネットであって、
前記第１の打片及び前記第２の打片は盤状に構成され、各々の主面の一方の一端において弾性状の結合部材によって互いに連結されて、前記カスタネットに力が加えられていない状態において、前記主面の他端側が開口状態となり、
前記第１の打片の他方の主面は球面状に構成され、
前記第２の打片は、他方の主面が平面状に構成され、かつ、当該主面を介して履物の底に装着可能な固定具を備えることを特徴とするカスタネット。
【請求項２】
前記固定具は、前記第２の打片に連結された単数又は複数の紐状体であることを特徴とする請求項１に記載のカスタネット。
【請求項３】
前記単数又は複数の紐状体は、前記履物の甲側に巻き回されて、前記第２の打片の他方の主面を前記履物の底に固定可能であることを特徴とする請求項２に記載のカスタネット。
【請求項４】
前記複数の紐状体は、互いの締結、コードストッパーによる固定、結束具による結束、バックルによる連結又は面ファスナーによる連結によって前記履物の底に前記カスタネットを固定することを特徴とする請求項２又は請求項３に記載のカスタネット。
【請求項５】
前記単数又は複数の紐状体は、伸縮性弾性体であることを特徴とする請求項２に記載のカスタネット。
【請求項６】
前記第２の打片の他方の主面は、平面状に構成される第１の平面部と第２の平面部とを有し、当該第１の平面部は前記一端側に配され、前記第２の平面部は前記他端側に配され、前記第１の平面部及び第２の平面部は互いに所定の角度で交接することを特徴とする請求項１乃至請求項５のうち、いずれか１に記載のカスタネット。
【請求項７】
前記第１の平面部と前記第２の平面部との交接は、交接する前記第１の平面部と前記第２の平面部の境界部が、前記第２の打片の前記他方の主面の中央を通過することを特徴とする請求項６に記載のカスタネット。
【考案の詳細な説明】
【技術分野】
【０００１】
本考案は、履物の底に固定することで、誰でも使用可能なカスタネットに関する。
【背景技術】
【０００２】
カスタネットは、フラメンコや、スペイン舞踏等に使用する打楽器であって、堅い木からなる２つの打片を二枚貝のように連結し、手の中で打ち鳴らすものであって、踊り手自身が舞踏動作に合わせて自ら演奏するリズム楽器として広く使用されている。
【０００３】
また、カスタネットは演奏が最も難しい打楽器として世界において知られている。即ち、カスタネットは、２つの打片が二枚貝状に開閉自在に連結されているのみで、この二枚貝状のカスタネットを開いたり、閉じたりして音を鳴らすのが非常に困難であり、それ故にもっとも演奏が難しい打楽器として知られている。
【０００４】
一方、日本においては、独自のカスタネット文化が存在しており、誰でも使用できるカスタネットが流通している。
【０００５】
即ち、日本においては、２つの打片を２枚貝状に連結するにあたり、ゴム紐等の弾性部材で連結して、常時、二枚貝が開いたような形態となっており、打片に外側から手で力を加えることによって、打片同士が打ち付けられて打撃音が鳴り、かつ、ゴム紐等の弾性部材により付勢されているため、２枚の打片が自然と開いた形態へと戻るものである。
【０００６】
この日本独自のカスタネットは、一方の打片が赤色に塗られ、他方の打片が青色に塗られたものが多数流通しており、容易に演奏が可能であることから、幼稚園児から高齢者まで非常に幅広い世代に支持されて使用されている。
【考案の概要】
【考案が解決しようとする課題】
【０００７】
この日本独自のカスタネットは、上述のように容易に扱うことができ、簡単にリズムを取ることができるため、幼稚園児から高齢者まで幅広い世代に使用されている。これは、打片を打ち付けるだけで音を鳴らすことができる日本独自のカスタネットだからこそ幅広い世代に支持されているものであり、楽器を演奏することができない者でも、手拍子を打つことはできることが多いため、手拍子感覚で楽器の演奏をすることができることに由来するものである。
【０００８】
本考案の考案者は、この日本独自のカスタネットを手ではなく、履物の底に装着して足で使用することにより、手のみならず足でもカスタネットを使用することによる重奏や、高齢者の足腰への刺激、さらには足腰のリハビリ等にカスタネットを利用できないかとの思いに至り、試行錯誤を行った。
【０００９】
そこで本考案は、上記事情に鑑みてなされたものであって、履物の底に固定することで、誰でも使用可能なカスタネットを提供することを目的とする。
【課題を解決するための手段】
【００１０】
上記目的達成のため、本考案のカスタネットは、第１の打片と第２の打片とを互いに打ち付けることにより音を生じるカスタネットであって、前記第１の打片及び前記第２の打片は盤状に構成され、各々の主面の一方の一端において弾性状の結合部材によって互いに連結されて、前記カスタネットに力が加えられていない状態において、前記主面の他端側が開口状態となり、前記第１の打片の他方の主面は球面状に構成され、前記第２の打片は、他方の主面が平面状に構成され、かつ、当該主面を介して履物の底に装着可能な固定具を備えることを特徴とする。
【００１１】
また、本考案のカスタネットにおける前記固定具は、前記第２の打片に連結された単数又は複数の紐状体であることを特徴とする。
【００１２】
また、本考案のカスタネットにおける前記単数又は複数の紐状体は、前記履物の甲側に巻き回されて、前記第２の打片の他方の主面を前記履物の底に固定可能であることを特徴とする。
【００１３】
また、本考案のカスタネットにおける前記複数の紐状体は、互いの締結、コードストッパーによる固定、結束具による結束、バックルによる連結又は面ファスナーによる連結によって前記履物の底に前記カスタネットを固定することを特徴とする。
【００１４】
また、本考案のカスタネットにおける前記単数又は複数の紐状体は、伸縮性弾性体であることを特徴とする。
【００１５】
また、本考案のカスタネットにおける前記第２の打片の他方の主面は、平面状に構成される第１の平面部と第２の平面部とを有し、当該第１の平面部は前記一端側に配され、前記第２の平面部は前記他端側に配され、前記第１の平面部及び第２の平面部は互いに所定の角度で交接することを特徴とする。
【００１６】
また、本考案のカスタネットにおける前記第１の平面部と前記第２の平面部との交接は、交接する前記第１の平面部と前記第２の平面部の境界部が、前記第２の打片の前記他方の主面の中央を通過することを特徴とする。
【考案の効果】
【００１７】
本考案のカスタネットは、履物の底に固定可能であって、踵を支点としてつま先側を地面に打ち付けることのみで打撃音を鳴らすことが可能であり、容易に音を鳴らすことができ、手を使わずに誰でも容易に楽器の演奏が可能である。
【００１８】
また、踵を支点とすることなく、カスタネットを装着した片足、又は、椅子等に座った状態においては両足を用いて足踏みの如き動作をすることによっても、打撃音を容易に鳴らすことが可能である。
【００１９】
特に、本考案のカスタネットは、足のみでカスタネットの演奏が可能であることから、手のみならず足でもカスタネットを使用することによる重奏に使用可能であり、また、高齢者の足腰への刺激、さらには足腰のリハビリ等に使用可能である。
【００２０】
また、本考案のカスタネットは、前記第１の打片の他方の主面（カスタネット外側の主面）が球面状に構成されていることから、第１の打片の外側の主面の何れの位置においても、カスタネット（の第１の打片の外側の主面）が地面に対して無理なく接触し、容易に打撃音を鳴らすことが可能である。
【００２１】
また、本考案のカスタネットは、前記第２の打片が、他方の主面（カスタネット外側の主面）が平面状に構成されていることから、履物の底にフィットし、安定した状態でカスタネットを鳴らすことが可能である。
【００２２】
また、本考案のカスタネットは、第２の打片の他方の主面において、平面状に構成される第１の平面部と第２の平面部とを有し、第１の平面部及び第２の平面部は互いに所定の角度で交接しているため、一方の平面部により履物の底にカスタネット本体をしっかり固定することが可能であるとともに、もう一方の平面部が履物の底から少々離間し、遊び（間隙）ができることから、履物の底に全ての音を吸収させずにカスタネットの打撃音の響きをよりよくすることが可能である。
【００２３】
また、本考案のカスタネットは、第１の平面部と第２の平面部との交接は、その境界部が、第２の打片の他方（外側）の主面の中央を通過するように配されることから、境界部を境にシーソーのように作用し、あるときは一方の平面部により履物の底にカスタネット本体をしっかり固定することが可能であるとともに、もう一方の平面部が履物の底から少々離間し、遊びができ、またあるときはその反対の状態となることから、適宜、何れか一方の平面部が履物の底に固定され、かつ、何れか他方の平面部が履物の底との間に遊び（間隙）ができることにより、履物の底に全ての音を吸収させずにカスタネットの打撃音の響きをさらによくすることが可能である。
【図面の簡単な説明】
【００２４】
【図１】本考案の第1実施形態に係るカスタネットの構成を示す斜視図である。
【図２】図１のカスタネットの側面図である。
【図３】図１のカスタネットの第１の打片の説明図であり、（ａ）は、カスタネット外側の主面を示す斜視図であり、（ｂ）はカスタネット内側の主面を示す斜視図である。
【図４】図１のカスタネットの第２の打片の説明図であり、（ａ）は、カスタネット外側の主面を示す斜視図であり、（ｂ）はカスタネット内側の主面を示す斜視図である。
【図５】図１のカスタネットを履物に装着した状態を示す斜視図である。
【図６】図５の状態の下方斜視図である。
【図７】本考案の第２実施形態に係るカスタネットの構成を示す斜視図であり、Ｘ部分は後方紐体への理解を促進するべく前方紐体の一部を破断したものである。
【図８】図７のカスタネットを履物に装着した状態を示す斜視図である。
【図９】図８の状態の下方斜視図である。
【図１０】本考案の第３実施形態に係るカスタネットの構成を示す斜視図である。
【図１１】図１０のカスタネットの本体部分のみを示す斜視図である。
【図１２】図１０のカスタネットの本体部分のみを示す側面図である。
【図１３】図１０のカスタネットを履物に装着した状態を示す斜視図である。
【考案を実施するための形態】
【００２５】
以下図面を参照して、本考案によるカスタネットを実施するための形態について説明する。
【００２６】
［Ａ］第１の実施形態（図１乃至図６）
まず、本考案のカスタネットの第１の実施形態について図１乃至図６を用いて説明する。
【００２７】
［第１の実施形態に係るカスタネットの構成］
本考案の第１の実施形態に係るカスタネットの構成について、図１乃至図４を用いて説明する。図１は、本考案の実施形態に係るカスタネットの構成を示す斜視図である。図２は、図１のカスタネットの側面図である。図３は、図１のカスタネットの第１の打片の説明図であり、（ａ）は、カスタネット外側の主面を示す斜視図であり、（ｂ）はカスタネット内側の主面を示す斜視図である。図４は、図１のカスタネットの第２の打片の説明図であり、（ａ）は、カスタネット外側の主面を示す斜視図であり、（ｂ）はカスタネット内側の主面を示す斜視図である。
【００２８】
図１乃至図４に示すように、第１の実施形態に係るカスタネット１は、概略として、腕時計のような形態をとり、二枚貝状の本体２と、本体２に連結された固定具としての固定バンド５からなっている。
【００２９】
本体について説明するに、本体２は、従来の日本独自のカスタネットと同様の構成をなし、円盤状の第１の打片３と、やはり円盤状の第２の打片４とが、結合部８により（図２）、開閉可能に連結されて、二枚貝状に構成されている。
【００３０】
本体２は、従来の日本独自のカスタネットと同様に、結合部８の内部において、例えば、スプリング等の弾性部材で連結されて、常時、二枚貝が開いたような形態となっており、打片に外側から力を加えることによって、即ち、本考案においては足で踏みつけることによって、打片同士が打ち付けられて打撃音が鳴るものである。
【００３１】
そして、打ち付けられた後は、足が地面から離れるとともにスプリング等の弾性部材により付勢されているため、２枚の打片が自然と開いた形態へと戻ることが可能である。
【００３２】
また、第１の打片３は、図３に示すように、円盤状に構成され、図３（ａ）及び図１からも明らかなように本体２の外側に位置する主面が球面状に形成されて球面部３ａを構成している。
【００３３】
これにより、カスタネット１を使用する場合、第１の打片３の外側の主面の何れの位置においても、第１の打片３の外側の主面が地面に対して無理なく接触し、容易に打撃音を鳴らすことが可能である。
【００３４】
また、第１の打片３は、本体２の内側に位置する主面の一端側に側面視、斜めにカットされた接触面３ｃ（図２の結合部８に相当）が形成され、この接触面３ｃが第２の打片４と、打片に力が加わっていない状態では常時接触するものである。
【００３５】
また、接触面３ｃにおいては、収納孔３ｃ１が所定の間隔を空けて２ヵ所形成されてスプリング等の弾性部材（図示せず）の一端側が嵌挿され、他端側が第２の打片４と連結され、打片に力が加わっていない状態においては常時、二枚貝状の本体２が開いた状態となる。
【００３６】
また、第２の打片４は、図４に示すように、円盤状に構成され、図４（ａ）及び図１からも明らかなように本体２の外側に位置する主面が平面状に形成されて平面部４ａを構成している。
【００３７】
これにより、本体２を履物の底に装着する場合、平面部４ａが、履物の底にフィットし、安定した状態でカスタネットを鳴らすことが可能となる。
【００３８】
また、第２の打片４は、本体２の内側に位置する主面の一端側に側面視、斜めにカットされた接触面４ｃ（図１の結合部８に相当）が形成され、この接触面４ｃが第１の打片３と、打片に力が加わっていない状態では常時接触するものである。
【００３９】
また、接触面４ｃにおいては、第１の打片３の収納孔３ｃ１の位置に対応して、収納孔４ｃ１が所定の間隔を空けて２ヵ所形成されている。第１の打片３の収納孔３ｃ１に一端が嵌挿入されたスプリング等の弾性部材（図示せず）の他端側が嵌挿されて、第１の打片４と連結され、打片に力が加わっていない状態においては常時、二枚貝状の本体２が開いた状態となる。
【００４０】
尚、例えば、上述のスプリング等の弾性部材のように、第１の打片３と第２の打片４との連結方法は公知技術であり、詳細説明及び図示を省略する。そのため、第１の打片３と第２の打片４の連結方法は、スプリングに限られるものではなく、第１の打片３及び第２の打片４の収納孔３ｃ１，４ｃ１を貫通孔として、日本独特のカスタネットのように一本のゴム紐を各貫通孔に挿通して締結して、二枚貝状の本体２を開いた状態として、付勢しておくことも当然可能である。
【００４１】
このように、第１の打片３と第２の打片４との連結方法は、スプリング等に限定されるものではなく、日本独特のカスタネットのように付勢した状態でカスタネットを開状態とすることができれば種々の構成を採用可能である。
【００４２】
また、第１の打片３及び第２の打片４は、互いに打ち付けられて打撃音を鳴らすことが可能であれば、円盤状のみならず、矩形の盤状体、三角の盤状体等の種々の形態を選択可能である。
【００４３】
次に、固定バンドについて説明するに、図１及び図２に示すように、固定バンド５は、本体２を履物の底等に装着するための固定具として機能するものであって、紐状のバンド（紐状体）により構成される。
【００４４】
固定バンド５は本体２に連結されて本体２を履物の底に装着可能であれば、どのような構成でもよく、本実施の形態においては、１本の連続したバンド（バンド部５ａ）が接着部５ａ１を介して本体２の外側の主面である平面部４ａに接着固定されることにより、接着部５ａ１を中心に２本の紐状体が本体２から延伸した構成となっている。
【００４５】
本実施の形態において、この２本の紐状体は、バックル５ｂを介して連結される。即ち、バックル５ｂに紐状体を圧入すると、バックル５ｂの嵌挿孔による紐状体の挟持により、所望の位置で紐状体を固定可能である。
【００４６】
また、２本の紐状体を校正するバンド部５ａを面ファスナーで構成することにより、バックル５ｂに嵌挿した紐状体の折り返し部分を紐状体に密着固定（面ファスナーの噛み合わせによる密着固定）させることも可能である（例えば、図５及び図６の密着部９参照）。
【００４７】
さらには、本実施の形態においては、紐状体の固定にバックル５ｂを用いたが、紐状体を面ファスナーにより構成することによりバックルを用いることなく、紐状体同士の噛み合わせによる密着のみで本体２を履物の底に固定する構成でもよいことは当然である。
【００４８】
従って、固定具５は、履物の底にカスタネットの本体を装着可能であれば、どのような構成でもよく、例えば、固定具を無端状の太いゴム紐（伸縮性弾性体）によって構成し、その弾性力を利用して履物の底に本体２の装着（固定）することも可能である。
【００４９】
［第１の実施形態に係るカスタネットの使用方法］
本考案の第１の実施形態に係るカスタネットの使用方法について、図５及び図６を用いて説明する。図５は、図１のカスタネットを履物に装着した状態を示す斜視図である。図６は、図５の状態の下方斜視図である。
【００５０】
図５及び図６に示すように、カスタネット１は、固定バンド５による締結により、本体２を履物７の底部７ｂに固定して使用する。
【００５１】
即ち、本考案に係るカスタネット１は、本体２を履物７の底部７ｂに装着するにあたり、底部７ｂにおける足の甲の裏側付近（底部７ｂにおけるつま先７ａ近傍）に本体２の平面部４ａを密着させ、バンド部５を足の甲側に巻き回して固定する。これにより、カスタネット１が使用者の足に装着され、踵を支点としてつま先７ａ側を地面に打ち付けることのみで打撃音を容易に鳴らすことが可能である。
【００５２】
また、踵を支点とすることなく、カスタネット１を装着した片足、又は、椅子等に座った状態においては両足を用いて足踏みの如き動作をすることによっても、打撃音を容易に鳴らすことが可能である。
【００５３】
さらに、カスタネット１は打撃音を一度打ち鳴らした後においても、第１の打片３と第２の打片４とに力が加えられていない場合は、カスタネット２は弾性部材による付勢により、カスタネット１が開状態に戻るため、使用者は踵を支点としてつま先を持ち上げるだけで、カスタネット１を開状態とすることが可能であり、その後、何度でもカスタネット１を鳴らすことが可能である。足踏み動作によってカスタネット１を使用する場合においても同様である。
【００５４】
尚、図５及び図６においては、履物７としてブーツ状のものを使用したが、通常の靴や、スリッパの様な室内履き等の種々の履物に使用可能であることは言うまでもない。
【００５５】
［Ｂ］第２の実施形態（図７乃至図９）
次に、本考案のカスタネットの第２の実施形態について図７乃至図９を用いて説明する。この第２の実施形態において、第１の実施形態と同様な部分は、同一の符号を付してその説明を省略する。
【００５６】
［第２の実施形態に係るカスタネットの構成］
本考案の第２の実施形態に係るカスタネットの構成について、図７乃至図９を用いて説明する。図７は、本考案の第２実施形態に係るカスタネットの構成を示す斜視図であり、Ｘ部分は後方紐体への理解を促進するべく前方紐体の一部を破断したものである。図８は、図７のカスタネットを履物に装着した状態を示す斜視図である。図９は、図８の状態の下方斜視図である。
【００５７】
図７乃至図９に示すように、第２の実施形態に係るカスタネット１１は、概略として、二枚貝状の本体１２と、本体１２に連結された固定具としての紐状固定具１５からなっている。
【００５８】
本体について説明するに、本体１２は、第１の実施形態と同様に、従来の日本独自のカスタネットと同様の構成をなし、円盤状の第１の打片３と、やはり円盤状の第２の打片４とが、開閉可能に連結されて、二枚貝状に構成されている。
【００５９】
本体１２は、従来の日本独自のカスタネットと同様に、ゴム紐等の伸縮性弾性部材で連結されて、常時、二枚貝が開いたような形態となっており、打片に外側から力を加えることによって、即ち、本考案においては足で踏みつけることによって、打片同士が打ち付けられて打撃音が鳴るものであり、打ち付けられた後は、足が地面から離れるとともにゴム紐等の伸縮性弾性部材により付勢されているため、２枚の打片が自然と開いた形態へと戻ることが可能である。
【００６０】
また、第１の打片３は、第１の実施形態と同様の構成をなし、円盤状に構成され、本体１２の外側に位置する主面が球面状に形成されて球面部３ａ（図９参照）を構成している。
【００６１】
また、第２の打片４は、第１の実施形態と同様の構成をなし、円盤状に構成され、本体１２の外側に位置する主面が平面状に形成されて平面部４ａ（図７参照）を構成している。
【００６２】
第２の実施形態においては、第１の実施形態と異なり、第１の実施形態における第１の打片３及び第２の打片４の収納孔３ｃ１，４ｃ１が貫通孔となっている。貫通孔に一本のゴム紐を各貫通孔に挿通して締結して、二枚貝状の本体２を開いた状態として、付勢しておくものである。
【００６３】
即ち、図９に示すように、第２の実施形態においては、第１の打片３の片方の主面からもう片方の主面へと貫通する端部貫通孔１３ｃ１が収納孔（第１の実施形態の３ｃ１）の代わりに形成されている。
【００６４】
また、図７に示すように、第２の実施形態においては、第２の打片４の片方の主面からもう片方の主面へと貫通する端部貫通孔１４ｃ１が収納孔（第１の実施形態の４ｃ１）の代わりに形成されている。
【００６５】
また、円盤状の第２の打片４の中央には、片方の主面からもう片方の主面へと貫通する中央貫通孔１４ｄが形成されている。
【００６６】
次に、紐状固定具１５について説明するに、図７乃至図９に示すように、紐状固定具１５は、本体１２を履物の底等に装着するための固定具として機能するものであって、ゴム紐等の伸縮性弾性部材の前方紐体１５ａ、後方紐体１５ｂ及びコードストッパー１６により構成される。
【００６７】
まず、前方紐体１５ａについて説明するに、前方紐体１５ａは、第２の打片４における中央貫通孔１４ｄに対して、端部からではなく、前方紐体１５ａの腹（側部）を第２の打片４の外側（本体１２の外側）の主面（平面部４ａ側）から挿通させることにより、平面部４ａ側には前方紐体一端側１５ａ１と前方紐体他端側１５ａ２が現れることとなる。
【００６８】
また、前方紐体１５ａは、腹（側部）を第２の打片４の内側（本体２の内側）の主面（平面部４ａの反対側）に出して、結い目を形成することにより（結い目部１５ａ３（図９））、前方紐体１５ａが第２の打片４から抜け出てしまうことが防止されている。
【００６９】
前方紐体１５ａにおいて、結い目部１５ａ３の反対側、即ち、平面部４ａ側に現れる前方紐体一端側１５ａ１と前方紐体他端側１５ａ２は、履物に巻き回されることから、その点を考慮してその長さが適宜決定される。
【００７０】
次に、後方紐体１５ｂについて説明するに、後方紐体１５ｂは、第１の打片３及び第２の打片４における各端部貫通孔１３ｃ１，１４ｃ１に順に挿通されて、一度締結されて締結部１５ｂ３（図７のＸ部分参照）が形成され、二枚貝状の本体１２を開いた状態として付勢する。
【００７１】
そうすることによって、後方紐体１５ｂは締結部１５ｂ３を介して二枚貝状の本体１２を開いた状態として付勢するとともに、締結部１５ｂ３を経て後方紐体一端側１５ｂ１と後方紐体他端側１５ｂ２が第２の打片４の外側（一方の主面側）に現れる。
【００７２】
後方紐体１５ｂにおいて、締結部１５ｂ３よりも端部側に現れる後方紐体一端側１５ｂ１と後方紐体他端側１５ｂ２は、履物に巻き回されることから、その点を考慮してその長さが適宜決定される。
【００７３】
コードストッパー１６について説明するに、コードストッパー１６は、複数のコード（紐体）を束ねて固定する機能を有するものであって、図７及び図８からも明らかなように、公知の構成を採るものである。そのため、その構成の詳細な説明は省略する。
【００７４】
コードストッパー１６は、コードストッパー１６の本体に設けられた挿通孔１６ｂにコード類が挿通され、通常の状態では、コード類の固定を行うべく、コードストッパー１６の本体に対してコード類が押圧されてコード類が固定されるものであり、解除ボタン１６ａを押圧している間はコード類の押圧が解除されて、コード類の挿通が自在となるものである。
【００７５】
即ち、コードストッパー１６の本体に設けられた挿通孔１６ｂに前方紐体１５ａ（前方紐体一端側１５ａ１と前方紐体他端側１５ａ２）及び後方紐体１５ｂ（後方紐体一端側１５ｂ１と後方紐体他端側１５ｂ２）が挿通されて、通常、それら紐体が束ねられて固定される。解除ボタン１６ａを押圧している間はそれら紐体の押圧が解除されて、それら紐体の挿通が自在となるものである。
【００７６】
また、コードストッパー１６によって束ねられた前方紐体１５ａ（前方紐体一端側１５ａ１と前方紐体他端側１５ａ２）及び後方紐体１５ｂ（後方紐体一端側１５ｂ１と後方紐体他端側１５ｂ２）は、さらに、余剰部分を結束具としてのゴム紐１５ｃを用いてまとめておくことも可能である。
【００７７】
［第２の実施形態に係るカスタネットの使用方法］
本考案の第２の実施形態に係るカスタネットの使用方法について、図７乃至図９を用いて説明する。
【００７８】
図７乃至図９に示すように、カスタネット１１は、紐状固定具１５による締結により、本体１２を履物７の底部７ｂ（図９）に固定して使用する。
【００７９】
即ち、本考案に係るカスタネット１１は、本体１２を履物７の底部７ｂに装着するにあたり、底部７ｂにおける足の甲の裏側付近（底部７ｂにおけるつま先７ａ近傍）に本体１２の平面部４ａを密着させ、前方紐体１５ａと後方紐体１５ｂを足の甲側に巻き回してコードストッパー１６により固定する。
【００８０】
具体的に説明するに、まず、後方紐体１５ｂを構成する後方紐体一端側１５ｂ１と後方紐体他端側１５ｂ２と、さらにコードストッパー１６によって形成される環状体の内部Ｓ２部分（図７参照）に対して履物７をつま先７ａ側から挿通する。
【００８１】
次に、前方紐体１５ａを構成する前方紐体一端側１５ａ１と前方紐体他端側１５ａ２と、さらにコードストッパー１６によって形成される環状体の内部Ｓ１部分（図７参照）に対して履物７をつま先７ａ側から挿通する。
【００８２】
そして、図８及び図９に示すように、前方紐体１５ａ及び後方紐体１５ｂが履物７における足の甲の付近（底部７ｂにおけるつま先７ａ近傍）に位置した状態として、本体１２の平面部４ａを底部７ｂ密着させ、コードストッパー１６を用いて前方紐体１５ａ及び後方紐体１５ｂの締め付け具体を調節してカスタネット１１を履物７に固定する。
【００８３】
これにより、カスタネット１１が使用者の足に装着され、踵を支点としてつま先７ａ側を地面に打ち付けることのみで打撃音を容易に鳴らすことが可能である。また、踵を支点とすることなく、カスタネット１１を装着した片足、又は、椅子等に座った状態においては両足を用いて足踏みの如き動作をすることによっても、打撃音を容易に鳴らすことが可能である。
【００８４】
尚、第２の実施形態においては、前方紐体１５ａ及び後方紐体１５ｂを、ゴム紐のような伸縮性弾性部材としているため、コードストッパー１６を用いることなしに、ゴム紐等の結束具１６ｃによるそれら紐体の結束と、前方紐体１５ａ及び後方紐体１５ｂの伸縮性のみでカスタネット１１を履物７に固定する構成とすることも可能である。
【００８５】
また、前方紐体１５ａは、第２の打片４の中央に形成された中央貫通孔１４ｄ一か所に挿通されたが、後方紐体１５ｂのように、貫通孔を２ヵ所設けて挿通するような構成とすることも当然可能である。
【００８６】
［Ｃ］第３の実施形態（図１０乃至図１３）
次に、本考案のカスタネットの第３の実施形態について図１０乃至図１３を用いて説明する。この第３の実施形態において、第１の実施形態及び第２の実施形態と同様な部分は、同一の符号を付してその説明を省略する。
【００８７】
［第３の実施形態に係るカスタネットの構成］
本考案の第３の実施形態に係るカスタネットの構成について、図１０乃至図１３を用いて説明する。図１０は、本考案の第３実施形態に係るカスタネットの構成を示す斜視図である。図１１は、図１０のカスタネットの本体部分のみを示す斜視図である。図１２は、図１０のカスタネットの本体部分のみを示す側面図である。図１３は、図１０のカスタネットを履物に装着した状態を示す斜視図である。
【００８８】
図１０乃至図１３に示すように、第３の実施形態に係るカスタネット１１は、概略として、二枚貝状の本体２２と、本体２２に連結された固定具としての固定バンド２５からなっている。
【００８９】
本体について説明するに、本体２２は、第１の実施形態に係るカスタネットと同様の構成をなし、円盤状の第１の打片３と、やはり円盤状の第２の打片２４とが、開閉可能に連結されて、二枚貝状に構成されている。
【００９０】
本体２２は、第１の実施形態に係るカスタネットと同様に、例えば、スプリング等の弾性部材（図示せず）で連結されて、常時、二枚貝が開いたような形態となっており、打片に外側から力を加えることによって、即ち、本考案においては足で踏みつけることによって、打片同士が打ち付けられて打撃音が鳴るものである。
【００９１】
そして、打ち付けられた後は、足が地面から離れるとともにスプリング等の弾性部材により付勢されているため、２枚の打片が自然と開いた形態へと戻ることが可能である。
【００９２】
尚、例えば、上述のスプリング等の弾性部材のように、第１の打片３と第２の打片２４との連結方法は公知技術であり、詳細説明及び図示を省略する。そのため、第１の打片３と第２の打片２４の連結方法は、スプリングに限られるものではなく、第１の打片３及び第２の打片２４の結合部８（図１１及び図１２））に貫通孔各々２つ形成し、一本のゴム紐を各貫通孔に挿通して締結して、二枚貝状の本体２を開いた状態として、付勢しておくことも当然可能である。
【００９３】
第３の実施形態に係るカスタネットのポイントは、第２の打片における第１の実施形態のカスタネットとの構成の差異である。
【００９４】
即ち、第２の実施形態に係るカスタネットにおいて、第２の打片２４の他方（外側）の主面は、平面状に構成される平面部２４ａ（図１１及び図１２参照）が第１の平面部２４ａ１と第２の平面部２４ａ２との２つの平面部によって構成されている点で第１の実施形態に係るカスタネットと異なる。
【００９５】
第１の平面部２４ａ１は、第２の打片２４の一端側（第１の打片３との結合部８側（図１１及び図１２））に配され、第２の平面部２４ａ２は他端側（カスタネット２１の開放端側）に配されている。
【００９６】
この第１の平面部２４ａ１と第２の平面部２４ａ２は、円盤状の第２の打片２４において、その外側の主面を半々に分割するように配されて互いに交接している。そのため、交接する第１の平面部２４ａ１と第２の平面部２４ａ２の境界部２４ａ３は、第２の打片の外側の主面（他方の主面）の中央を通過している。
【００９７】
図１２からも明らかなように、第１の平面部２４ａ１と第２の平面部２４ａ２は、第１の平面部２４ａ１が境界部２４ａ３を起点として本体２２の内部方向に少々傾いて構成されることにより、互いに所定の角度α（図１２参照）で交接している。この所定の角度αは、本実施形態では、５度である。
【００９８】
この互いに所定の角度αで交接することにより、一方の平面部により履物の底にカスタネット本体をしっかり固定することが可能であるとともに、もう一方の平面部が履物の底から少々離間し、遊び（間隙）ができることから、履物の底に全ての音を吸収させずにカスタネットの打撃音の響きをよりよくすることが可能である。
【００９９】
特に、境界部２４ａ３が、第２の打片２４の他方（外側）の主面の中央を通過するように配されることから、境界部２４ａ３を境に第１の平面部２４ａ１と第２の平面部２４ａ２とがシーソーのように作用し、適宜、何れか一方の平面部が履物の底に固定され、かつ、何れか他方の平面部が履物の底との間に遊び（間隙）ができることにより、履物の底に全ての音を吸収させずにカスタネットの打撃音の響きをよりよくすることが可能である。
【０１００】
次に、固定具としての固定バンド２５について説明するに、図１０及び図１３に示すように、固定バンド２５は、本体２２を履物の底等に装着するための固定具として機能するものであって、バンド部２５ａとコードストッパー１６により構成される。
【０１０１】
固定バンド２５は、本実施の形態においては、１本の連続したバンド（バンド部２５ａ）が接着部５ａ１を介して第２の打片２４の外側の主面である平面部２４ａに接着固定されることにより、接着部２５ａ１を中心に２本の紐状体が本体２２から延伸した構成となっている。また、接着部２５ａ１を中心とした２つのバンド部２５ａの先端部分は、熱等により互いに圧着されて連結されている（圧着部２５ａ２）。
【０１０２】
尚、バンド部２５ａは、接着剤等による接着固定の他、工業用ホッチキスにより、接着部２５ａの上から、工業用ステープラ―によりステープル（針）を打ち込むことによりバンド部２５ａを第２の打片２４に固定することも可能である。
【０１０３】
また、バンド部２５ａの接着部２５ａ１は、第２の打片２４の外側の主面の境界部２４ａ３に重なって、境界部２４に沿うように固定される。これにより、境界部２４ａ３を境に第１の平面部２４ａ１と第２の平面部２４ａ２とがシーソーのように作用し、適宜、何れか一方の平面部が履物の底に固定され、かつ、何れか他方の平面部が履物の底との間に遊び（間隙）ができることにより、履物の底に全ての音を吸収させずにカスタネットの打撃音の響きをよりよくすることが可能である。
【０１０４】
コードストッパー１６は、第２の実施形態と同様の機能を有し、コードストッパー１６の本体に設けられた挿通孔１６ｂに２本のバンド部２５ａが先端の圧着部２５ａ２から挿通され、通常の状態では、コードストッパー１６の本体に対して２本のバンド部２５ａが押圧されてバンド部２５ａが固定されるものであり、解除ボタン１６ａを押圧している間はバンド部２５ａの押圧が解除されて、バンド部２５ａの挿通が自在となるものである。
【０１０５】
［第３の実施形態に係るカスタネットの使用方法］
本考案の第３の実施形態に係るカスタネットの使用方法について、図１０及び図１３を用いて説明する。
【０１０６】
図１０及び図１３に示すように、カスタネット２１は、固定バンド２５による締結により、本体２２を履物７の底部に固定して使用する。
【０１０７】
即ち、本考案に係るカスタネット２１は、本体２２を履物７の底部に装着するにあたり、２本のバンド部２５ａに囲まれた空間につま先７ａをカスタネット２１の結合部８側から挿入し、履物７の底部における足の甲の裏側付近（底部におけるつま先７ａ近傍）に平面部２４ａ（図１１参照）を密着させるようにして、コードストッパー１６によりバンド部２５ａを絞り、カスタネット２１を履物７の底に固定する。
【０１０８】
これにより、カスタネット２１が使用者の足に装着され、踵を支点としてつま先７ａ側を地面に打ち付けることのみで打撃音を容易に鳴らすことが可能である。また、踵を支点とすることなく、カスタネット２１を装着した片足、又は、椅子等に座った状態においては両足を用いて足踏みの如き動作をすることによっても、打撃音を容易に鳴らすことが可能である。
【０１０９】
この考案は、その本質的特性から逸脱することなく数多くの形式のものとして具体化することができる。よって、上述した実施形態は専ら説明上のものであり、本考案を制限するものではないことは言うまでもない。
【符号の説明】
【０１１０】
１        カスタネット（第１の実施形態）
２        本体
３        第１の打片
３ａ      球面部
３ｃ      接触面
３ｃ１    収納孔
４        第２の打片
４ａ      平面部
４ｃ      接触面
４ｃ１    収納孔
５        固定バンド（固定具）
５ａ      バンド部
５ａ１    接着部
５ｂ      バックル
７        履物
７ａ      つま先
７ｂ      底部
８        結合部
９        密着部
１１      カスタネット（第２の実施形態）
１２      本体
１４ｃ１  端部貫通孔
１４ｄ    中央貫通孔
１５      紐状固定具
１５ａ    前方紐体
１５ａ１  前方紐体一端側
１５ａ２  前方紐体他端側
１５ａ３  結い目部
１５ｂ    後方紐体
１５ｂ１  後方紐体一端側
１５ｂ２  後方紐体他端側
１５ｂ３  締結部
１５ｃ    ゴム紐（結束具）
１６      コードストッパー
１６ａ    解除ボタン
１６ｂ    挿通孔
２１      カスタネット（第２の実施形態）
２２      本体
２４      第２の打片
２４ａ    平面部
２４ａ１  第１の平面部
２４ａ２  第２の平面部
２４ａ３  境界部
２５      固定バンド（固定具）
２５ａ    バンド部
２５ａ１  接着部
２５ａ２  圧着部
【図１】
0003198180.tif 000003
【図２】
0003198180.tif 000004
【図３】
0003198180.tif 000005
【図４】
0003198180.tif 000006
【図５】
0003198180.tif 000007
【図６】
0003198180.tif 000008
【図７】
0003198180.tif 000009
【図８】
0003198180.tif 000010
【図９】
0003198180.tif 000011
【図１０】
0003198180.tif 000012
【図１１】
0003198180.tif 000013
【図１２】
0003198180.tif 000014
【図１３】
0003198180.tif 000015